(57)【要約】【課題】床用モップとハンディモップを選択した組合せで無駄なく安定した状態で収容することができるモップ収容容器を提供すること。【解決手段】モップ収容容器は、第１の当接面３４と、ここに設けられた係合部３５と、オーバーハング部３６とを有した開口部３３を備え筒状の床用モップ収容部３と、水平な底面４２と、開口部４３と、第１の当接面３４と当接可能な第２の当接面４４と、係合部３５と係合・分離可能な係止部４５とを有した筒状のハンディモップ収容部４とからなり、係止部４５を係合部３５と係合した場合に、第１の当接面３４と第２の当接面４４が当接するとともに、ハンディモップ収容部４の底面４２が台座２に当接し、床用モップ収容部３のオーバーハング部３６上端は、ハンディモップ収容部４の開口部４３の上方に位置するように構成される。【選択図】図５
2017202018.tif 000002
【特許請求の範囲】
【請求項１】
床面に載置される台座と、
当該台座上面中央に設けられ、上方に開口した開口部を備えた有底筒状に形成されるとともに、側面に設けられた第１の当接面と、当該第１の当接面に設けられた係合部と、前記第１の当接面の上方に設けられたオーバーハング部とを有した床用モップ収容部と、
水平面に載置可能な閉鎖された底面を備え、上方に開口した開口部を備えた筒状に形成されるとともに、前記第１の当接面と当接可能な第２の当接面と、前記係合部と係合・分離可能な係止部とを有したハンディモップ収容部とからなり、
当該係止部を前記係合部と係合した場合に、前記第１の当接面と第２の当接面が当接するとともに、前記ハンディモップ収容部の底面が前記台座に当接し、
前記床用モップ収容部のオーバーハング部上端は、前記ハンディモップ収容部の開口部の上方に位置するように構成された
ことを特徴とするモップ収容容器。
【請求項２】
前記第１の当接面と第２の当接面とは相互に密着する形状とされ、前記ハンディモップ収容部の底面と前記台座は相互に密着する形状とされていることを特徴とする請求項１に記載のモップ収容容器。
【請求項３】
前記係合部及び係止部は、いずれか一方が基部に溝を備えた突起からなり、他方が当該突起を挿入する孔からなり、前記係合部に前記係止部が係合することで、第１の当接面と第２の当接面が密着するとともに、前記ハンディモップ収容部の底面と前記台座が密着して前記ハンディモップの質量を前記台座が支えるとともに、床用モップ収容部とハンディモップ収容部との相対移動を規制するように構成されたことを特徴とする請求項２に記載のモップ収容容器。
【請求項４】
前記ハンディモップ収容部の内部に、挿入方向に沿って形成されたリブであって、挿入されたハンディモップをその端部で外側周囲から支えるように複数配設されたことを特徴とする請求項１〜３の何れか一項に記載のモップ収容容器。
【請求項５】
前記リブは、開口部周縁を除き、より底面側に設けられていることを特徴とする請求項４に記載のモップ収容容器。
【請求項６】
前記ハンディモップ収容部は、前記第２の当接面に沿った幅の大きさが、前記床用モップ収容部の幅の大きさより小さく構成されていることを特徴とする請求項１〜５のいずれか一項に記載のモップ収容容器。
【請求項７】
前記ハンディモップ収容部の開口部は、前記床用モップ収容部とは反対の方向に傾けて開口されていることを特徴とする請求項１〜６のいずれか一項に記載のモップ収容容器。
【発明の詳細な説明】
【技術分野】
【０００１】
本発明は、モップ収容容器に係り、詳しくは床用モップ収容部とハンディモップ収容部とを備えたモップ収容容器に関する。
【背景技術】
【０００２】
従来より、水拭きをしないでホコリを吸着するいわゆる化学ぞうきんからなるモップが、店舗や家庭で清掃に使用されている。このようなモップは水洗いをする必要がないため、使用後は水洗いしないで直ちに収容可能である。そこで、特許文献１に示すようなモップを自立した状態で保管するモップ収容容器が提案されている。このようなモップ収容容器であれば、使用後、容器開口部にモップを挿入するだけで汚れた部分が隔離され清潔に保管できる。また必要なときは引き抜くだけで直ちに使用できるため、不使用時には衛生的に保管でき店舗内やリビングなどでも好適に使用できる。
【０００３】
また、このようなモップには、床用のモップだけでなく、家具などを清掃するハンディモップがあり、特許文献２に示すように、容器の内部を２つに区切り、一方にハンディモップを立てて収容し、他方に取替え用拭き取り地を収容するようなものが提案されている。
【先行技術文献】
【特許文献】
【０００４】
【特許文献１】特開２００９−２４０５０４号公報
【特許文献２】特開平１０−１７９４８８号公報
【発明の概要】
【発明が解決しようとする課題】
【０００５】
店舗や家庭の状況により、床用モップしか使わない場合や、ハンディモップしか使わない場合がある。さらに床用モップとハンディモップの両方を使用したい場合もある。
このような場合、床用モップの収容容器と、ハンディモップの収容容器と両方を設置するとそれぞれがスペースを占めることになる。
【０００６】
一方、１つの容器の内部を区切り、床用モップとハンディモップの両方を収容すれば、大きなスペースを占めることがない。しかしながら、床用モップとハンディモップの一方しか使用しなければ、無用な空間ができ、収容部の開口部が開いたままでは、視覚的に不衛生な感じを与える。
【０００７】
そこで、本発明は、床用モップとハンディモップの組合せを環境に合わせて選択した組合せで無駄なく安定した状態で収容することができるモップ収容容器を提供することにある。
【課題を解決するための手段】
【０００８】
上記課題を解決するため、本願に係る発明のモップ収容容器では、床面に載置される台座と、当該台座上面中央に設けられ、上方に開口した開口部を備えた有底筒状に形成されるとともに、側面に設けられた第１の当接面と、当該第１の当接面に設けられた係合部と、前記第１の当接面の上方に設けられたオーバーハング部とを有した床用モップ収容部と、水平面に載置可能な閉鎖された底面を備え、上方に開口した開口部を備えた筒状に形成されるとともに、前記第１の当接面と当接可能な第２の当接面と、前記係合部と係合・分離可能な係止部とを有したハンディモップ収容部とからなり、当該係止部を前記係合部と係合した場合に、前記第１の当接面と第２の当接面が当接するとともに、前記ハンディモップ収容部の底面が前記台座に当接し、前記床用モップ収容部のオーバーハング部上端は、前記ハンディモップ収容部の開口部の上方に位置するように構成されたことを要旨とする。
【０００９】
このような構成によれば、床用モップ収容部とハンディモップ収容部は、それぞれ単独で収容容器として載置して使用可能であり、かつ相互に係合すれば一体になり、それぞれ載置するよりも小さな載置場所とすることができる。そして、第１当接面と第２当接面とが当接し、かつハンディモップ収容部の底面と台座が当接するため、ハンディモップ収容部は、安定した状態で床用モップ収容部に支持される。この場合、ハンディモップ収容部はより安定して支持できるように床用モップ収容部に近接するようにするとともに、大きな床用モップを収容しやすくするために、その開口を大きく拡げハンディモップ収容部の開口部を覆うようなかたちになっている。
【００１０】
その結果、床用モップだけでも、ハンディモップだけでも、あるいは床用モップとハンディモップの両方でも、無駄なく安定した状態で収容することができる。
また、本願に係る発明では、前記第１の当接面と第２の当接面とは相互に密着する形状とされ、前記ハンディモップ収容部の底面と前記台座は相互に密着する形状とされていることをも望ましい。
【００１１】
このような構成によれば、床用モップ収容部とハンディモップ収容部の一体感が増し、より安定した支持ができる。なお、ここでいう「密着」とは、少なくとも一部が安定して支持できる程度に密に接すればよい。
【００１２】
また、本願に係る発明では、前記係合部及び係止部は、いずれか一方が基部に溝を備えた突起からなり、他方が当該突起を挿入する孔からなり、前記係合部に前記係止部が係合することで、第１の当接面と第２の当接面が密着するとともに、前記ハンディモップ収容部の底面と前記台座が密着して前記ハンディモップの質量を前記台座が支えるとともに、床用モップ収容部とハンディモップ収容部との相対移動を規制するように構成されたことも望ましい。
【００１３】
このような構成によれば、簡単に係合することができるばかりか、密着した形状によりハンディモップ収容部の質量自体が安定して支持されるように働く。そして、密着した形状により有効に床用モップ収容部とハンディモップ収容部との相対移動を規制することができる。
【００１４】
また、本願に係る発明では、ハンディモップ収容部の内部に、挿入方向に沿って形成されたリブであって、挿入されたハンディモップをその端部で外側周囲から支えるように複数配設されたことも望ましい。
【００１５】
このような構成によれば、ハンディモップ挿入時の摺動抵抗を低くして挿入しやすくできる。特に、ハンディモップが水分や油分で汚れたときには効果的で、摺動抵抗が大きくなって収容容器を倒してしまうようなことを抑制することができる。また、水分を含んだようなハンディモップの乾燥を促進することもできる。また、摺動抵抗を小さくするだけでなく、ハンディモップ収容部の内壁の汚損を有効に防止することができる。
【００１６】
特に、本願においては、挿入されたハンディモップを周囲から支持することで、容器内のハンディモップの傾きを抑制して、その質量が有効に台座に掛かるような姿勢とすることができる。その結果、ハンディモップ収容部を支持している床用モップ収容部の安定に資することができる。
【００１７】
また、本願においては、前記リブが、開口部周縁を除き、より底面側に設けられていることも望ましい。
このような構成によれば、ハンディモップの傾きを抑制しつつ、ハンディモップ収容部の開口を大きくとることができ、ハンディモップをハンディモップ収容部に挿入しやすくできる。
【００１８】
また、本願においては、前記ハンディモップ収容部は、前記第２の当接面に沿った幅の大きさが、前記床用モップ収容部の幅の大きさより小さく構成されていることも望ましい。
【００１９】
このような構成によれば、ハンディモップをハンディモップ収容部に挿入したときに、第２の当接面に沿った傾きを抑制してより安定した支持を得ることができる。
また、本願においては、前記ハンディモップ収容部の開口部は、前記床用モップ収容部とは反対の方向に傾けて開口されていることも望ましい。
【００２０】
このような構成にすることで、ハンディモップ収容部を床用モップ収容部に近接させて、上部に床用モップ収容部のオーバーハング部が覆いかぶさっても、ハンディモップを挿入しやすくなる。
【発明の効果】
【００２１】
本発明のモップ収容容器によれば、床用モップとハンディモップの組合せを環境に合わせて選択した組合せで無駄なく安定した状態で収容することができる。
【図面の簡単な説明】
【００２２】
【図１】ハンディモップ収容部を係合したモップ収容容器を示す斜視図。
【図２】ハンディモップ収容部を分離した床用モップ収容部の斜視図。
【図３】分離したハンディモップ収容部を斜め下から見た斜視図。
【図４】ハンディモップ収容部を中心線に沿って斜め上方から見た斜視図。
【図５】（ａ）モップ収容容器を側面から見た断面図、（ｂ）係合部・係止部の拡大図。
【図６】ハンディモップ収容部を係合したモップ収容容器を示す正面図。
【図７】ハンディモップ収容部を係合したモップ収容容器を示す平面図。
【図８】ハンディモップ収容部を係合したモップ収容容器を示す右側面図。
【図９】床用モップの一例を示す斜視図。
【図１０】ハンディモップの一例を示す斜視図。
【発明を実施するための形態】
【００２３】
以下、本発明を具体化した一実施形態のモップ収容容器１を図１〜図１０にしたがって説明する。
（モップ収容容器１）
図１に示すように本実施形態のモップ収容容器１は、全体がＰＰ(ポリプロピレン)等の樹脂からなり、床面に載置する円盤状の台座２と、この台座２の上面の中央に設けられた床用モップ収容部３と、この床用モップ収容部３の側面に装着するハンディモップ収容部４とから構成されている。床用モップ収容部３には、床用モップＦＭが上方より挿入されて収容される。また、ハンディモップ収容部には、ハンディモップＨＭが方より挿入されて収容される。
【００２４】
（床用モップＦＭ、ハンディモップＨＭ）
図９に示すように床用モップＦＭは、化学ぞうきんの繊維からなる拭き取り部ＦＭ１とこれを支持する支持部ＦＭ２と、支持部と首振り自在に連結された柄ＦＭ３とからなり、収納する場合には支持部ＦＭ２を柄ＦＭ３と平行にして収容する。
【００２５】
図１０に示すようにハンディモップＨＭは、化学ぞうきんの繊維からなる拭き取り部ＨＭ１とこれを支持する支持部ＨＭ２と、この支持部ＨＭ２と連結された柄ＨＭ３とからなり、収納する場合には、そのまま拭き取り部ＨＭ３を収容する。
【００２６】
（台座２）
図１に示すように台座２は、全体が背が低い椀状の形状を伏せたような形状で、中央部には、床用モップ収容部３の基部を固定するため、上下方向に無底の水平断面が概ねＤ字形状の筒状の孔が形成されている。
【００２７】
（床用モップ収容部３）
図２に示すように床用モップ収容部３は、有底筒状に形成されている本体３１を備え、上方にラッパ状に開口した開口部３３を備えている。本体３１及び開口部３３は、その水平断面が概ねＤ字形状となっている。本体３１は、床面に載置する円盤状の台座２の上面の中央に基部３２が固定され立設される。
【００２８】
本体３１の側面には、概ね垂直な平面である第１の当接面３４が形成されている。第１の当接面３４の上部中央に、概ね、水平に突出したきのこ形状の突起からなる係合部３５を備える。係合部３５は、基端部３５ａが軸状となっており、先端部３５ｂがフランジ状に膨らんだ形状で、基端部３５ａの上側には、溝３５ｃが形成されている。この溝３５ｃは、後述するハンディモップ収容部４の係止部４５と係合するための溝である。
【００２９】
第１の当接面３４から連なる上部は、ラッパ状に開口した開口部３３によりオーバーハング部３６が形成されている。
（ハンディモップ収容部４）
図３に示すように、ハンディモップ収容部４は、床用モップ収容部３から分離することができる。
【００３０】
ハンディモップ収容部４は、水平断面形状が角を丸くした６角形とされ、上方に向かい高さに応じて断面積が大きくなるように開口した開口部４３を備えた６つの平面から筒状に形成された本体４１を備える。開口部４３は水平から概ね４５度傾けた方向に開口している(図８参照)。
【００３１】
本体４１の底部には水平面に載置可能な閉鎖された底面４２を備える。そのため水平面に底面４２を載置することでハンディモップ収容部４は、それのみで自立して、ハンディモップＨＭを上部から挿入可能に構成される。
【００３２】
本体４１の開口部４３の一番背の高い側面には、概ね垂直な平面である第２の当接面４４を備える。図５（ａ）、（ｂ）に示すように、この第２の当接面４４の上部中央には、床用モップ収容部３と組み合わせたときに、第１当接面３４に設けた係合部３５と対応する位置に、係止部４５が形成されている。係止部４５は、床用モップ収容部３の係合部３５の先端部３５ｂが挿入できる程度の穴が穿設されている。この係止部４５に先端部３５ｂを挿入すると係止部４５の周縁が、ハンディモップ収容部４自体の質量で基端部３５ａの溝３５ｃと係合し、係合部３５と係止部４５との係合は解除されない。
【００３３】
図２に示すように底面４２は、前述したとおり、その周縁４２ａは水平面に載置したときに、ハンディモップ収容部４が自立するようになっている。底面４２の内側は、曲面状に凹部４２ｂが形成されている。この凹部４２ｂの形状は、床用モップ収容部３と係合した時に台座２の上面に当接して密着するように、台座２の形状に倣って形成されている(図５（ａ）参照)。
【００３４】
（リブ４６）
図４に示すように、ハンディモップ収容部４の内面には、ハンディモップＨＭの挿入方向に沿って６条のリブ４６が形成されている。このリブ４６は、本体４１を形成する６つの平面の略中央にそれぞれ配置されている。これら６条のリブ４６は、挿入されたハンディモップＨＭを囲むように配置されており、ほぼ均等にハンディモップＨＭを周囲から包むように支持する。
【００３５】
図５（ａ）に示すように、このリブ４６は、開口部４３近傍には配設されていないため、ハンディモップＨＭを開口部４３から挿入するときの障害にはならない。ハンディモップＨＭをハンディモップ収容部４に挿入するときには、開口部４３上端の開口面積をすべて使用できる。６条のリブ４６は、開口部４３の周縁を除き、より底面４２側に設けられ、底面４２に至っている。リブ４６間の間隔は、底面４２に近づくほど相互に近接して、ハンディモップＨＭをしっかりと支持するため、ハンディモップＨＭは傾きにくい。
【００３６】
また、リブ４６は、挿入されたハンディモップＨＭの姿勢を維持するだけでなく、ハンディモップＨＭ挿入時の摺動抵抗を低くして挿入しやすくできる。特に、ハンディモップＨＭが水分や油分で汚損した場合でも接触面積を小さくして、内壁面に貼りつくような状態を抑制することができるため、汚れたときにも効果的で、摺動抵抗が大きくなって収容容器を倒してしまうようなことを抑制することができる。その結果、摺動抵抗を小さくするだけでなく、ハンディモップ収容部４の内壁の汚損を有効に防止することができる。
【００３７】
また、水分を含んだようなハンディモップＨＭを挿入したときでも、挿入されたハンディモップと内壁面との間に間隙を形成してハンディモップＨＭの乾燥を促進することもできる。
【００３８】
（モップ収容容器１の作用）
このように構成された本実施形態のモップ収容容器１の作用を説明する。
図５（ｂ）に示す状態からハンディモップ収容部４を上に持ち上げると、係止部４５が係合部３５の溝３５ｃから離脱し、その状態で床用モップ収容部３から離間すると係合部３５の先端部３５ｂが係止部４５の穴から離脱する。そうすれば、係合が解除されて、図２に示すモップ収容容器１の床用モップ収容部３と、図３に示すハンディモップ収容部４との状態になる。
【００３９】
分離した、床用モップ収容部３と、ハンディモップ収容部４とは、それぞれ自立して載置できるため、それぞれ単独で使用することができる。
また、ハンディモップ収容部４の係止部４５を床用モップ収容部３の係合部３５に近接させると係合部３５の先端部３５ｂが係止部４５の穴に挿入される。その状態でハンディモップ収容部４を下に置けば、図５（ｂ）に示すように係止部４５に係合部３５の溝３５ｃが嵌合し、モップ収容容器１の床用モップ収容部３とハンディモップ収容部４とが合体する。
【００４０】
図５（ａ）に示すように、このとき床用モップ収容部３の第１の当接面３４と、ハンディモップ収容部４の第２の当接面４４は、いずれも平面からなるので、係合部３５と係止部４５により密着する。
【００４１】
また、ハンディモップ収容部４の底面４２の凹部４２ｂに台座２の凸曲面２ａが嵌り込んで、ハンディモップ収容部４が床用モップ収容部の相対移動が規制されることになる。
また、ハンディモップ収容部４の底面４２の凹部４２ｂに台座２の凸曲面２ａが嵌り込んで、ハンディモップ収容部４の質量を台座２に支持させるため、ハンディモップ収容部４は安定して支持される。
【００４２】
このとき、６条のリブ４６により挿入されたハンディモップＨＭが外側に倒れないように有効に支持して、ハンディモップ収容部の重心が、床用モップ収容部３から離れないようにするため、全体として倒れにくくすることができる。
【００４３】
さらに、図６に示すように、ハンディモップ収容部４は、第２の当接面４４に沿った幅の大きさＷ１が、床用モップ収容部３の幅の大きさＷ２より小さく構成されている。その結果、ハンディモップＨＭは、リブ４６の作用と相俟って、第２の当接面４４沿った方向の傾きを小さくすることができる。
【００４４】
なお、図７、図８に示すように、第１の当接面３４と第２の当接面４４とを密着させた状態では、床用モップ収容部３のオーバーハング部３６の上端は、ハンディモップ収容部４の開口部４３の上方に位置するように位置する。このため、床用モップ収容部３の開口部３３を十分に広くとり、より大きな床用モップＦＭの挿入を円滑にしている。
【００４５】
一方、図８に示すように、ハンディモップ収容部４の開口部４３は、床用モップ収容部３とは反対の方向の外側に傾きαだけ傾けて開口されている。このため、床用モップ収容部３のオーバーハング部３６にかかわらず、ハンディモップＨＭもハンディモップ収容部４に挿入が容易になっている。
【００４６】
（実施形態の効果）
上記実施形態のモップ収容容器１によれば、以下のような効果を得ることができる。
○  本実施形態のモップ収容容器１によれば、床用モップＦＭとハンディモップＨＭの組合せを環境に合わせて選択した組合せに応じて、最少のスペースで無駄なく安定した状態で収容することができる。
【００４７】
○  床用モップ収容部３とハンディモップ収容部４は、それぞれ単独で収容容器として載置して使用可能であり、かつ相互に係合すれば一体になり、それぞれ載置するよりも小さな載置場所とすることができる。その結果、床用モップＦＭだけでも、ハンディモップＨＭだけでも、あるいは床用モップＦＭとハンディモップＨＭの両方でも、無駄なく最小のスペースで収容することができる。
【００４８】
○  そして、第１当接面３４と第２当接面４４とが当接し、かつハンディモップ収容部４の底面４２と台座２が当接するため、ハンディモップ収容部４は、安定した状態で床用モップ収容部３に支持される。この場合、ハンディモップ収容部４はより安定して支持できるように床用モップ収容部３に近接するようにするとともに、大きな床用モップＦＭを収容しやすくするために、その開口部３３を大きく拡げハンディモップ収容部４の開口部４３を覆うようなかたちになっている。
【００４９】
その結果、床用モップＦＭとハンディモップＨＭの両方を小さなスペースで収容する場合でも、安定した状態で、いずれのモップも挿入しやすくすることができる。
○  係合部３５と係止部４５を係合することで、第１の当接面３４と第２の当接面４４とが密着する。それとともに、ハンディモップ収容部４の底面４２と台座２が密着してハンディモップＨＭの質量を台座２が支える。さらに、床用モップ収容部３とハンディモップ収容部４との相対移動を規制するように構成された。そのため、簡単に係合することができるばかりか、密着した形状によりハンディモップ収容部の質量自体が安定して支持されるように働く。そして、密着した形状により有効に床用モップ収容部とハンディモップ収容部との相対移動を規制することができる。
【００５０】
○  ハンディモップ収容部４の内部に、挿入方向に沿って形成された６条のリブ４６により挿入されたハンディモップＨＭをその端部で外側周囲から支えるため、ハンディモップＨＭ挿入時の摺動抵抗を低くして挿入しやすくできる。特に、ハンディモップＨＭが水分や油分で汚れたときには効果的で、摺動抵抗が大きくなってモップ収容容器１を倒してしまうようなことを抑制することができる。また、水分を含んだようなハンディモップＨＭの乾燥を促進することもできる。また、摺動抵抗を小さくするだけでなく、ハンディモップ収容部４の内壁の汚損を有効に防止することができる。
【００５１】
特に、本願においては、挿入されたハンディモップＨＭを周囲から支持することで、ハンディモップ収容部４内のハンディモップＨＭの傾きを抑制して、その質量が有効に台座２に掛かるような姿勢とすることができるため、ハンディモップ収容部４を支持している床用モップ収容部３の安定に資することができる。
【００５２】
リブ４６は、開口部４３周縁を除き、底面４２側に設けられているので、ハンディモップＨＭの傾きを抑制しつつ、ハンディモップ収容部４の開口部４３を大きくとることができ、ハンディモップＨＭをハンディモップ収容部４に挿入しやすくできる。
【００５３】
○  また、本願においては、ハンディモップ収容部４の幅が、床用モップ収容部３の幅より小さく、ハンディモップＨＭをハンディモップ収容部４に挿入したときに、幅方向の傾きを抑制してより安定した支持を得ることができる。
【００５４】
○  ハンディモップ収容部４の開口部４３は、床用モップ収容部３とは反対の方向に傾けて開口されているので、ハンディモップ収容部４を床用モップ収容部３に近接させて、上部に床用モップ収容部３のオーバーハング部３６が覆いかぶさっても、ハンディモップＨＭを挿入しやすくなる。
【００５５】
（変形例）
なお、上記実施形態は以下のように変更してもよい。
○  実施形態の床用モップ収容部３は、水平断面がＤ字状の形状であるが、円筒形や、断面三角形や四角形など適宜採用できる。また、実施形態のハンディモップ収容部４の水平断面が６角形であったが、この形状も適宜選択できる。要は、第１の当接面と第２の当接面が、安定した状態で当接する形状であれば、実施形態に示す形状に限定されるものではない。
【００５６】
つまり、第１の当接面３４と第２の当接面４４は平面に限定されるものではない。
また、安定して当接できれば必ずしも密着するような構成でなく、線接触のような部分的に隙間がある当接でもよい。
【００５７】
例えば、床用モップ収容部３を円筒状とし、ハンディモップ収容部４が、第１の当接面に合わせた窪みを有する。例えば三日月形でもよい。
或いは第１の当接面３４と第２の当接面４４の凹凸形状が噛合うような形状でもよい。
【００５８】
○  実施形態では、１つの床用モップ収容部３と１つのハンディモップ収容部４により説明したが、例えば、１つの床用モップ収容部３に対して、対向する方向に２つのハンディモップ収容部４を組み合わせるような構成でもよい。
【００５９】
○  実施形態では、床用モップ収容部３の係合部３５と、ハンディモップ収容部４の係止部４５を例に説明したが、突起と穴が逆の構成でもよい。また、突起と穴の構成に限定されるものではなく、平面ファスナや磁力による係合でもよい。要は、第１の当接面３４と第２の当接面４４が当接するように係合できれば十分である。
【００６０】
○  係止部４５と係合部３５は、一か所でなく複数設けてもよい。さらに、係止部４５と係合部３５以外に当接を安定させる回り止め、ガイドやサポートを設けてもよい。
○  台座２は、円盤状の形状に限らず、ハンディモップ収容部４の底面４２を支えることができれば形状は限定されない。また、台座２に、ハンディモップ収容部４の底面４２を固定する形状を採用することも好ましい。
【００６１】
また、台座２と床用モップ収容部３を一体に形成することも好ましい。本願においては、台座２と床用モップ収容部３の機能を奏する部分があれば、これらが明確に分離できることは要求されない。もちろん、脚、滑り止め、ウエイトなどを付加することもできる。
【００６２】
○  本実施形態では、樹脂製の物を例示したが、素材は樹脂製に替えて、陶器製、木製、金属製、あるいはこれらの複合材料でもよい。
○  リブ４６は、実施形態に示す例示の外、長さや数、配置は同様の機能を発揮するように適宜変更できる。また、実施形態ではリブの名称を例示したが、リブの名称に拘泥せず多数のボスとするなど同様な機能を有する構成にすることができる。
【００６３】
○  また、床用モップ、ハンディモップの名称に拘泥せず、ほうきや、チリ落としなどの収容に適用できるものである。
○  その他本願発明の技術的思想を損なわない範囲で、当業者において適宜変更して実施できることは言うまでもない。
【符号の説明】
【００６４】
１…モップ収容容器、２…台座、３…床用モップ収容部、４…ハンディモップ収容部、３１…本体、３２…基部、３３…開口部、３４…第１の当接面、３５…係合部、３５ａ…基端部、３５ｂ…先端部、３５ｃ…溝、３６…オーバーハング部、４１…本体、４２…底面、４２ａ…周縁、４２ｂ…凹部、４３…開口部、４４…第２の当接面、４５…係止部、４６…リブ、ＨＭ…ハンディモップ、ＦＭ床用モップ。
【図１】
2017202018.tif 000003
【図２】
2017202018.tif 000004
【図３】
2017202018.tif 000005
【図４】
2017202018.tif 000006
【図５】
2017202018.tif 000007
【図６】
2017202018.tif 000008
【図７】
2017202018.tif 000009
【図８】
2017202018.tif 000010
【図９】
2017202018.tif 000011
【図１０】
2017202018.tif 000012